(57)【要約】【課題】奥行き１２００ｍｍ、間口８００ｍｍのトイレブースに設置できる、便器清掃用の紙製クリーナー等のトイレ用備品、特にトイレ用ブラシを収納できるトイレ用備品収納装置を提供することにある。【解決手段】大便器の側方の壁に沿って設置され、トイレ用ブラシを収納可能な、凹部を設けた棚板と扉とを備えたキャビネットと、キャビネット内に配置されるトイレ用ブラシとを有するトイレ用備品収納装置において、トイレ用ブラシは清掃用ブラシ本体とそれを収納するケースとからなり、そのケースがブラシ本体の拭浄体を収納する下部ケースと、ブラシ本体の把持部を覆う上部ケースとからなり、さらに、下部ケースと上部ケースとの間の中間ケース前面が開口され、拭浄体と把持部の間を連結する柄が、中間ケースの前面開口両縁より突出し、棚板の凹部の高さ方向位置が、柄の高さ方向の位置と同一であることを特徴とするトイレ用備品収納装置。【選択図】      図２
2007229061.tif 000002
【特許請求の範囲】
【請求項１】
大便器の側方の壁に沿って設置され、トイレ用ブラシを収納可能な、内部に一部に凹部を設けた棚板と扉とを備えたキャビネットと、
前記キャビネット内に配置されるトイレ用ブラシと
を有するトイレ用備品収納装置において、
前記トイレ用ブラシは、トイレの清掃用ブラシ本体とその清掃用ブラシ本体を収納するケースとからなり、かつ前記ケースが、前記ブラシ本体の拭浄体を収納する下部ケースと、前記ブラシ本体の把持部を覆う上部ケースとからなり、
さらに、前記下部ケースと前記上部ケースとの間に配置された中間ケースの前面が開口され、前記ブラシ本体の拭浄体と把持部の間を連結する柄が、前記中間ケースの前面開口両縁より突出すると共に、
前記棚板の凹部の高さ方向位置が、前記トイレ用ブラシを前記キャビネットに収納した際前記柄の高さ方向の位置と同一であることを
特徴とするトイレ用備品収納装置。
【請求項２】
前記トイレ用ブラシが、前記ケースの上部ケースの中間ケース側には前記ブラシ本体の柄を保持する保持部を有することを特徴とする請求項１に記載のトイレ用備品収納装置。
【請求項３】
前記トイレ用ブラシにおいて、前記ケースの下部ケースには、前記ブラシ本体の拭浄体に付着した汚水を排水するための排水溝を前記中間ケースの前面の開口両縁から、下部ケース底面にかけて形成したことを特徴とする請求項１に記載のトイレ用備品収納装置。
【発明の詳細な説明】
【技術分野】
【０００１】
本発明は、大便器を備えたトイレブースで使用する備品の収納装置に関する。
【背景技術】
【０００２】
現在の戸建住宅１階トイレや分譲マンションのトイレブースでは、奥行き１２００ｍｍ、間口１２００ｍｍ以上のトイレが増えつつあるが、まだまだ現在の住宅のトイレブースとして最も多い寸法は、奥行き１２００ｍｍ、間口８００ｍｍである。
【０００３】
またトイレには、トイレットペーパー、生理用品、便器清掃用の紙製クリーナーや便器清掃のためのトイレ用ブラシが必要であり、使い勝手を考えると、トイレットペーパー、生理用品は手の届く範囲にある必要がある。トイレ用ブラシも同様である。
このような奥行き１２００ｍｍ、間口８００ｍｍのトイレブースで使用する備品等の収納装置の提案はほとんどない。
【０００４】
しかし、奥行き１２００ｍｍ、間口８００ｍｍサイズのトイレブースに関する備品の収納方法について、壁と建築躯体との間に開口を設け、この部分を利用し、半埋め込み式キャビネットとし、間口の狭さをカバーして、生理用品や便器清掃用の紙製クリーナーやトイレ用ブラシを収納するものが提案されている（例えば、特許文献１参照。）。
このように壁と建築躯体との間に開口を設け、半埋め込み式のキャビネットとした場合、リフォーム等で設置する場合は大掛かりな工事が必要である欠点がある。
【０００５】
また、トイレ用ブラシは清掃後に清掃用ブラシに付着する水滴（汚水）がたれ流れないようケースを備えており、このケースは清掃用ブラシ全体を覆っている。（例えば、特許文献２参照。）。従って、トイレ用ブラシの容積はこのケースの容積で決まり、他のトイレ用備品に比べ、トイレ用ブラシは収納スペースを取るものであった。
【０００６】
そのため、トイレ用ブラシを有するトイレ用備品収納装置を、壁と建築躯体との間の開口を設けずに、奥行き１２００ｍｍ、間口８００ｍｍのトイレブースに設置するものは提案されていない。
【０００７】
【特許文献１】特開平１０−３２８０７８号公報
【特許文献２】特開２０００−２７１０４１号公報
【発明の開示】
【発明が解決しようとする課題】
【０００８】
本発明の課題は、奥行き１２００ｍｍ、間口８００ｍｍのトイレブースに設置できる、生理用品や便器清掃用の紙製クリーナーなどのトイレ用備品特にスペースを取るトイレ用ブラシを収納できるトイレ用備品収納装置を提供することにある。
【課題を解決するための手段】
【０００９】
上記目的を達成するために請求項１は、大便器の側方の壁に沿って設置され、トイレ用ブラシを収納可能な、内部に一部に凹部を設けた棚板と扉とを備えたキャビネットと、
前記キャビネット内に配置されるトイレ用ブラシとを有するトイレ用備品収納装置において、前記トイレ用ブラシは、トイレの清掃用ブラシ本体とその清掃用ブラシ本体を収納するケースとからなり、かつ前記ケースが、前記ブラシ本体の拭浄体を収納する下部ケースと、前記ブラシ本体の把持部を覆う上部ケースとからなり、さらに、前記下部ケースと前記上部ケースとの間に配置された中間ケースの前面が開口され、前記ブラシ本体の拭浄体と把持部の間を連結する柄が、前記中間ケースの前面開口両縁より突出すると共に、前記棚板の凹部の高さ方向位置が、前記トイレ用ブラシを前記キャビネットに収納した際前記柄の高さ方向の位置と同一であることを特徴とするトイレ用備品収納装置とした。
【００１０】
これにより、従来スペースを取るトイレ用ブラシの特にケースをコンパクトに収納できる収納装置を提供でき、しかも、奥行き１２００ｍｍ、間口８００ｍｍのトイレブースに壁と建築躯体との間に開口を設けずに、この収納装置を設置できる。
【００１１】
請求項２では、前記トイレ用ブラシが、前記ケースの上部ケースの中間ケース側には前記ブラシ本体の柄を保持する保持部を有することを特徴とする請求項１に記載のトイレ用備品収納装置とした。
【００１２】
これにより、上記のようにコンパクトなトイレ用ブラシであることに加えて、トイレ用ブラシに付着した汚水の水滴を捨てる際、ブラシと一体化したケースを傾けるだけで水滴を除去できる。
【００１３】
請求項３では、前記トイレ用ブラシにおいて、前記ケースの下部ケースには、前記ブラシ本体の拭浄体に付着した汚水を排水するための排水溝を前記中間ケースの前面の開口両縁から、下部ケース底面にかけて形成したことを特徴とする請求項１に記載のトイレ用備品収納装置とした。
【００１４】
これにより、上記のようにコンパクトなトイレ用ブラシであることに加えて、トイレ用ブラシに付着した汚水の水滴を捨てる際、水滴が排水溝をつたわり垂れることなく水滴を除去できる。
【発明の効果】
【００１５】
本発明により、奥行き１２００ｍｍ、間口８００ｍｍのトイレブースにおいて、壁と建築躯体との間に開口を設けずに、生理用品や便器清掃用の紙製クリーナーなどのトイレ用備品特にスペースを取るトイレ用ブラシを収納できるトイレ用備品収納装置を設置できるようになる。
【発明を実施するための最良の形態】
【００１６】
以下、図面に基づいて本発明の実施の形態について説明する。
図１は本発明の第１実施形態であるトイレブースに配置したトイレ用備品収納装置をトイレブースに配置した状態を示す図であり、図２はこの収納装置を拡大した図である。図３はこの収納装置に配置するトイレ用ブラシを示す図であり、図４はトイレ用ブラシの左側面図、図５はトイレ用ブラシを収納した第３室内部の平面図、図６は第２室内部から第２室の扉をみた状態であって、この収納装置の生理用品用ゴミ箱（以下、「チャームボックス」と称する）を収納する上下片開き式の扉のヒンジ部を示す図である。
【００１７】
本発明のトイレ用備品収納装置１は、トイレブース２内の大便器３の側方の側壁４に沿って配置する。トイレブースは一般住宅用の最小寸法である、奥行き１２００ｍｍ、間口８００ｍｍ、としている。さらに、該収納装置１は、床に設置するのではなく、床面と一定の隙間を設けて固定されている。そのため、この隙間に足を入れることも可能である。
【００１８】
トイレ用備品収納装置１は図２に示すように、左側が上下に２個の部屋に、右側が、左側の２つの部屋の高さと同一の高さを有する１個の部屋を有するキャビネットに３個の扉を設け、第１室１０は生理用品又は便器清掃用の紙製クリーナーを配置し、第２室１１にはチャームボックスを配置し、第３室１２には液体状の洗剤２本およびトイレ用ブラシ１３を配置する。
ここで、第１室１０と第２室１１は、図６に示すように、前記キャビネットの部屋下部と扉下方とに丁番３０を設け、扉側面中央とキャビネットの部屋の側壁との間には扉の開度を調整するステー３１を配置している。また、第２室１１は、前側に約４５度開閉した場合に使用者に触れないような高さ寸法となっている。さらに、第３室１２は横開きである。ここで、第３室１２の扉は右開きである。
【００１９】
また、第３室１２は扉側面及びキャビネットの部屋側方に丁番を設け、第３室に向かって右側に開閉するようになっている。さらに、第３室は、壁への設置位置が、壁への取り付け状態で使用者が大便器の使用時には、使用者より前側にくるように配置するようになっており、使用者の足が当たることはない。さらに、棚板１４には凹部１５を設けて奥行き方向の寸法を変えている。この凹部１５はトイレ用ブラシ１３を第３室１２に収納する際の清掃用ブラシの柄の収納空間としている。
【００２０】
トイレ用ブラシ１３を図３乃至図５に示す。ここで、図３はトイレ用ブラシ１３の斜視図、図４は左側面図、図５は第３室１２内部にトイレブラシ１３等を収納した状態での内部の平面図である。
このトイレ用ブラシ１３は、一端に把持部２２を設け、該把持部２２と直線状の柄２６を介して他端に便器を清掃するための拭浄体２１を形成した清掃用ブラシ本体２０と、清掃用ブラシ本体２０の拭浄体２１を覆うと共に把持部２２を保持するケース２３とから構成されている。
このケース２３は、清掃用ブラシ本体２０の拭浄体２１を収納できる平面視略長円形状の大径の下部ケース２４と、清掃用ブラシ本体２０の把持部２２を覆う上部ケースと、上部ケース２５と下部ケース２４との間の中間ケース２７から構成されている。さらに、ケース２３は、清掃用ブラシ本体２０を使用しない場合は清掃用ブラシ本体２０の柄２６を保持する保持部２８が、上部ケース２５の中間ケース側に有している。
【００２１】
また、図４に示すようにこのケース２３は、側面視逆く字形状となっており、上部ケース２５は「く」の変極点より上に形成されている。上部ケース２５と下部ケース２４との間の中間ケース２７の前面は、開口されている。
そのため、清掃用ブラシ本体２０をケース２３に収納した状態ではケース２３の上部ケース２５から下部ケース２４に至る中間ケース２７途中では、側面から見ると中間ケース２７の前面開口両縁より清掃用ブラシ本体２０の柄２６が突出している。
また、この清掃用ブラシ本体２０の柄２６の高さ方向の位置が、ちょうど棚板１４の凹部１５の高さ方向の位置と同一である。この状態を図５に示す。
その結果、奥行き１２００ｍｍ、間口８００ｍｍのトイレブースにおいて、生理用品や便器清掃用の紙製クリーナーなどのトイレ用備品特にスペースを取るトイレ用ブラシを収納できるトイレ用備品収納装置１を設置することができる。
【００２２】
さらに、ケース２３の大径の下部ケース２４には、中間ケース２７の前面開口両縁から下部ケース２４の底面にかけて排水溝２９が設けられている。
これにより便器清掃時にトイレ用ブラシ１３の拭浄体２１に付着してた水滴が、ケース２３の下部ケース２４に溜まった場合、保持部２８によりトイレ用ブラシ１３とケース２３が保持された状態で、このトイレ用ブラシ１３を傾けることにより、便器清掃時に付着した水滴を便器に捨てることができる。その結果、非常に衛生的である。
【００２３】
第１室１０と第２室１１の扉のキャビネット本体からの開閉方法について、図６及び図７により説明する。
図６は第２室１１の内部から扉３２を見た状態を示す図であり、図７は第２室１１の扉を開いた状態での側面図を示す。
第２室１１はキャビネットの底面及び扉３２の下面に丁番３０を設け、さらに、扉側面中央及びキャビネット側方にはステー３１を設けている。もともと丁番３０は横方向の動きを規制する構造ではないため、図７に示すように扉を９０度全開にしない場合は扉３２にガタが起き易い。そこで、耐久性のある樹脂系のクッション材３３を、丁番の幅で、キャビネットの小口面に貼り付け、扉開閉のガタツキを防止させた。
【図面の簡単な説明】
【００２４】
【図１】本発明の第１の実施形態のトイレ用備品収納装置の斜視図である。
【図２】第３室を透視した同収納装置の拡大斜視図
【図３】トイレ用ブラシの斜視図
【図４】トイレ用ブラシの左側面図
【図５】トイレ用ブラシを収納した第３室内部の平面図
【図６】第２室内部から第２室の扉を見た状態の図
【図７】第２室の扉を開いた状態の側面図
【符号の説明】
【００２５】
１    トイレ用備品収納装置
２    トイレブース
３    大便器
４    側壁
１０    第１室
１１    第２室
１２    第３室
１３    トイレ用ブラシ
１４    棚板
１５    凹部
２０    清掃用ブラシ本体
２１    拭浄体
２２    把持部
２３    ケース
２４    下部ケース
２５    上部ケース
２６    柄
２７    中間ケース
２８    保持部
２９    排水溝
３０    丁番
３１    ステー
３２    扉
３３    クッション材
【図１】
2007229061.tif 000003
【図２】
2007229061.tif 000004
【図４】
2007229061.tif 000005
【図５】
2007229061.tif 000006
【図６】
2007229061.tif 000007
【図７】
2007229061.tif 000008
【図３】
2007229061.tif 000009